(57)【要約】【課題】コーナー部材に不要な曲げモーメントが発生することがなく、既設建物に生じた振動を確実に抑制することができる制震装置を提供する。【解決手段】制震装置のコーナー部材１９は、第１および第２アームやダンパーの外端部に開口するピン孔を挟んで互いに対向配置されたＬ形第１および第２コーナー材２１，２２と、第１および第２コーナー材２１，２２の間に配置されたＬ形第３コーナー材２３とから形成されている。制震装置では、第１および第２アームやダンパーの外端部を回転可能に支持するピン５９が第１および第２コーナー材２１，２２の間に配置され、第１および第２アームやダンパーの軸方向中心線Ｌ２とピン５９の軸方向中心線Ｌ１との交点６０が第１〜第３角部の角度を二分する切断線で第１〜第３コーナー材２１〜２３を切断した場合のコーナー部材１９の切断面６２から求めた図心６３の位置にある。【選択図】図５
2011074615.tif 000002
【特許請求の範囲】
【請求項１】
第１〜第３角部にコーナー部材を備えた四角形のフレームと、前記フレームの内側に設置された振動減衰機構とを有し、前記振動減衰機構が、前記第１角部のコーナー部材に回転可能に支持された外端部を有してその第１角部から前記フレームの内側に向かって延びる第１アームと、前記第１角部に対向する第３角部のコーナー部材に回転可能に支持された外端部を有してその第３角部から前記フレームの内側に向かって延びる第２アームと、前記第１角部と前記第３角部との間の第２角部のコーナー部材に回転可能に支持された外端部を有してその第２角部から前記フレームの内側に向かって延びる振動エネルギー吸収ダンパーと、前記第１および第２アームを所定の角度に保持しつつそれらアームの内端部と前記ダンパーの内端部とを回転可能に支持する回転ヒンジとから形成された制震装置において、
前記コーナー部材が、それらアームおよびダンパーの外端部に開口するピン孔を挟んで互いに対向配置されたＬ形第１および第２コーナー材と、前記第１および第２コーナー材の間に配置されたＬ形第３コーナー材とから形成され、それらアームおよびダンパーの外端部を回転可能に支持するピンが、それらアームおよびダンパーの軸方向中心線に対して直角方向へ延びるとともに、前記外端部に開口するピン孔に挿通されて前記第１および第２コーナー材につながっていることを特徴とする制振装置。
【請求項２】
前記第１および第２アームの軸方向中心線と前記ピンの軸方向中心線との交点が、前記第１および第３角部の角度を二分する切断線で前記第１〜第３コーナー材を切断した場合の前記コーナー部材の切断面から求めた図心の位置にあり、前記ダンパーの軸方向中心線と前記ピンの軸方向中心線との交点が、前記第２角部の角度を二分する切断線で前記第１〜第３コーナー材を切断した場合の前記コーナー部材の切断面から求めた図心の位置にある請求項１記載の制震装置。
【請求項３】
第１〜第３角部にコーナー部材を備えた四角形のフレームと、前記フレームの内側に設置された振動減衰機構とを有し、前記振動減衰機構が、前記第１角部のコーナー部材に回転可能に支持された外端部を有してその第１角部から前記フレームの内側に向かって延びる第１アームと、前記第１角部に対向する第３角部のコーナー部材に回転可能に支持された外端部を有してその第３角部から前記フレームの内側に向かって延びる第２アームと、前記第１角部と前記第３角部との間の第２角部のコーナー部材に回転可能に支持された外端部を有してその第２角部から前記フレームの内側に向かって延びる振動エネルギー吸収ダンパーと、前記第１および第２アームを所定の角度に保持しつつそれらアームの内端部と前記ダンパーの内端部とを回転可能に支持する回転ヒンジとから形成された制震装置において、
前記コーナー部材が、Ｌ形の外側コーナー材と、前記外側コーナー材の内面中央につながって前記フレームの内側に向かって延びるＬ形の内側コーナー材とから形成され、前記第１および第２アームの外端部と前記ダンパーの外端部とが、前記内側コーナー材を挟んで互いに離間対向する第１部分と第２部分とから形成され、それらアームおよびダンパーの第１部分と第２部分とを回転可能に支持するピンが、それらアームおよびダンパーの軸方向中心線に対して直角方向へ延びるとともに、前記内側コーナー材に開口するピン孔に挿通されて前記第１および第２部分につながっていることを特徴とする制震装置。
【請求項４】
前記第１および第２アームの軸方向中心線と前記ピンの軸方向中心線との交点が、前記第１および第３角部の角度を二分する切断線で前記外側コーナー材と前記内側コーナー材とを切断した場合の前記コーナー部材の切断面から求めた図心の位置にあり、前記ダンパーの軸方向中心線と前記ピンの軸方向中心線との交点が、前記第２角部の角度を二分する切断線で前記外側コーナー材と前記内側コーナー材とを切断した場合の前記コーナー部材の切断面から求めた図心の位置にある請求項３記載の制震装置。
【請求項５】
前記第１および第２アームの外端部を回転可能に支持する前記ピンの軸方向中心線と前記ダンパーの外端部を回転可能に支持する前記ピンの軸方向中心線とが、前記図心を通って互いに直交する主軸となる二本の中立軸のうちの一方の中立軸に一致し、前記第１および第２アームの軸方向中心線と前記ダンパーの軸方向中心線とが、前記二本の中立軸のうちの他方の中立軸に一致している請求項２または請求項４記載の制振装置。
【請求項６】
前記制震装置では、前記第１〜第３角部の角度が９０度であり、前記第１〜第３角部を形成する前記コーナー部材の形状と大きさとが同一である請求項１ないし請求項５いずれかに記載の制震装置。
【請求項７】
前記コーナー部材が、鋳造品または鍛造品あるいは溶接品である請求項１ないし請求項６いずれかに記載の制振装置。
【発明の詳細な説明】
【技術分野】
【０００１】
本発明は、既設建物に生じた振動を抑制する制震装置に関する。
【背景技術】
【０００２】
既設建物の柱と梁とから形成された架構と同一形状の外枠と、その外枠の第１角部に外端部が回転可能に設置された第１アームと、外枠の第３角部に外端部が回転可能に設置された第２アームと、外枠の第２角部に外端部が回転可能に設置された油圧ダンパーと、第１および第２アームを所定の角度に保持しつつそれらアームの内端部とダンパーの内端部とを回転可能に支持する回転ヒンジとから制震装置が形成され、その制震装置が建物の各階の架構に左右対称に設置された制震構造物がある（特許文献１参照）。
【０００３】
外枠は、縦方向へ延びる一対の縦枠材と、横方向へ延びる一対の横枠材と、第１〜第４角部に設置され、それら縦横枠材につながるコーナー部材とから形成されている。コーナー部材は、第１および第２アームやダンパーの外端部に開口する第１ピン孔を挟んで互いに対向配置されたＬ形第１および第２コーナー材と、第１および第２コーナー材の間に配置されたＬ形第３コーナー材とから形成されている。第１および第２コーナー材の間には、第１ピン孔に挿通されてそれらアームやダンパーの外端部を回転可能に支持する第１ピンが配置されている。第１および第２アームの内端部やダンパーの内端部は、それら内端部に開口する第２ピン孔に第２ピンが挿通された状態で、回転ヒンジに回転可能に支持されている。油圧ダンパーは、ロッドとシリンダーとを備え、その軸方向へ伸縮可能である。
【０００４】
第１および第２アームやダンパーの軸方向中心線と第１ピンの軸方向中心線との交点は、図６を援用すると、Ｌ形第１コーナー材のうち、縦枠材につながる第１側面部を横方向に二分して縦方向へ延びる第７中心線Ｌ１１と横枠材につながる第２側面部を縦方向に二分して横方向へ延びる第８中心線Ｌ１２との交点６４の位置にある。この制震構造物では、地震等によって既設建物に振動が生じ、その振動が架構から制震構造物に伝わり、それによって制震構造物が左右方向（横方向）へ水平変形すると、制震装置の第１および第２アームが外端部を中心として回転運動を行う。それらアームが回転運動を行うと、それらアームの外端部の水平変位量によってアームやダンパーの内端部を支持する回転ヒンジの回転変位量が増幅されて大きくなる。このように、それらアームの外端部の小さな変位量が回転ヒンジの大きな回転変位量に変換され、小さい変位量×大きな力＝大きな変位量×小さな力という関係が成立する。すなわち、外端部の水平変位量に比較して油圧ダンパーのロッドが大きく伸縮し、それによって架構の振動が熱に変換され、既設建物に生じた振動が減衰される。
【先行技術文献】
【特許文献】
【０００５】
【特許文献１】特開２００８−３０３７０５号公報
【発明の概要】
【発明が解決しようとする課題】
【０００６】
前記特許文献１に開示の制震構造物では、第１および第２アームやダンパーの軸方向中心線と第１ピンの軸方向中心線との交点がＬ形第１コーナー材の第７中心線Ｌ１１と第８中心線Ｌ１２との交点６４の位置にあり、コーナー部材のうちの第１ピンの軸方向中心線から外側の外側部分の耐力とコーナー部材のうちの第１ピンの軸方向中心線から内側の内側部分の耐力とが異なり、既設建物に生じた振動が架構から制震構造物に伝わり、その振動によって第１および第２アームの外端部やダンパーの外端部、コーナー部材に所定の荷重が作用したときに、その荷重をコーナー部材の外側部分と内側部分とで均等に分担することができない。この制震構造物は、コーナー部材に作用する荷重をその外側部分と内側部分とで均等に分担することができないから、振動発生時にコーナー部材に不要な曲げモーメントが発生し、コーナー部材がその曲げモーメントによって変形または破損する場合があり、制震構造物の振動抑制機能が著しく低下する場合がある。
【０００７】
本発明の目的は、ピンの軸方向中心線を基準としてコーナー部材をその外側部分と内側部分とに区分したときに、コーナー部材に作用する荷重をその外側部分と内側部分とで均等に分担することができ、コーナー部材に不要な曲げモーメントが発生することがなく、既設建物に生じた振動を確実に抑制することができる制震装置を提供することにある。
【課題を解決するための手段】
【０００８】
前記課題を解決するための本発明の前提は、第１〜第３角部にコーナー部材を備えた四角形のフレームと、そのフレームの内側に設置された振動減衰機構とを有し、振動減衰機構が、第１角部のコーナー部材に回転可能に支持された外端部を有してその第１角部からフレームの内側に向かって延びる第１アームと、第１角部に対向する第３角部のコーナー部材に回転可能に支持された外端部を有してその第３角部からフレームの内側に向かって延びる第２アームと、第１角部と第３角部との間の第２角部のコーナー部材に回転可能に支持された外端部を有してその第２角部からフレームの内側に向かって延びる振動エネルギー吸収ダンパーと、第１および第２アームを所定の角度に保持しつつそれらアームの内端部とダンパーの内端部とを回転可能に支持する回転ヒンジとから形成された制震装置である。
【０００９】
前記前提における本発明の第１の特徴は、コーナー部材が、それらアームおよびダンパーの外端部に開口するピン孔を挟んで互いに対向配置されたＬ形第１および第２コーナー材と、第１および第２コーナー材の間に配置されたＬ形第３コーナー材とから形成され、それらアームおよびダンパーの外端部を回転可能に支持するピンが、それらアームおよびダンパーの軸方向中心線に対して直角方向へ延びるとともに、外端部に開口するピン孔に挿通されて第１および第２コーナー材につながっていることにある。
【００１０】
前記第１の特徴を有する本発明の一例としては、第１および第２アームの軸方向中心線とピンの軸方向中心線との交点が、第１および第３角部の角度を二分する切断線で第１〜第３コーナー材を切断した場合のコーナー部材の切断面から求めた図心の位置にあり、ダンパーの軸方向中心線とピンの軸方向中心線との交点が、第２角部の角度を二分する切断線で第１〜第３コーナー材を切断した場合のコーナー部材の切断面から求めた図心の位置にある。
【００１１】
前記前提における本発明の第２の特徴は、コーナー部材が、Ｌ形の外側コーナー材と、外側コーナー材の内面中央につながってフレームの内側に向かって延びるＬ形の内側コーナー材とから形成され、第１および第２アームの外端部とダンパーの外端部とが、内側コーナー材を挟んで互いに離間対向する第１部分と第２部分とから形成され、それらアームおよびダンパーの第１部分と第２部分とを回転可能に支持するピンが、それらアームおよびダンパーの軸方向中心線に対して直角方向へ延びるとともに、内側コーナー材に開口するピン孔に挿通されて第１および第２部分につながっていることにある。
【００１２】
前記第２の特徴を有する本発明の一例としては、第１および第２アームの軸方向中心線とピンの軸方向中心線との交点が、第１および第３角部の角度を二分する切断線で外側コーナー材と内側コーナー材とを切断した場合のコーナー部材の切断面から求めた図心の位置にあり、ダンパーの軸方向中心線とピンの軸方向中心線との交点が、第２角部の角度を二分する切断線で外側コーナー材と内側コーナー材とを切断した場合のコーナー部材の切断面から求めた図心の位置にある。
【００１３】
前記第１および第２の特徴を有する本発明の一例としては、第１および第２アームの外端部を回転可能に支持するピンの軸方向中心線とダンパーの外端部を回転可能に支持するピンの軸方向中心線とが、図心を通って互いに直交する主軸となる二本の中立軸のうちの一方の中立軸に一致し、第１および第２アームの軸方向中心線とダンパーの軸方向中心線とが、二本の中立軸のうちの他方の中立軸に一致している。
【００１４】
前記第１および第２の特徴を有する本発明の他の一例として、制震装置では、第１〜第３角部の角度が９０度であり、第１〜第３角部を形成するコーナー部材の形状と大きさとが同一である。
【００１５】
前記第１および第２の特徴を有する本発明の他の一例としては、コーナー部材が鋳造品または鍛造品あるいは溶接品である。
【発明の効果】
【００１６】
本発明にかかる制震装置によれば、コーナー部材が互いに対向配置されたＬ形第１および第２コーナー材とＬ形第３コーナー材とから形成され、アームおよびダンパーの外端部を回転可能に支持するピンがアームおよびダンパーの軸方向中心線に対して直角方向へ延びるとともに、外端部に開口するピン孔に挿通されて第１および第２コーナー材につながる連結構造を採用しているから、その連結構造が必要以上に高い制作制度を要しない単純な構造であり、コーナー部材の製作工数を最小限にすることができ、制振装置の生産効率や現地組立の効率が向上し、制振装置の製作費の低減による採算性を改善することができる。
【００１７】
第１および第２アームの軸方向中心線とピンの軸方向中心線との交点が第１および第３角部の角度を二分する切断線で第１〜第３コーナー材を切断した場合のコーナー部材の切断面から求めた図心の位置にあり、ダンパーの軸方向中心線とピンの軸方向中心線との交点が第２角部の角度を二分する切断線で第１〜第３コーナー材を切断した場合のコーナー部材の切断面から求めた図心の位置にある制震装置は、ピンの軸方向中心線を基準としてコーナー部材をその軸方向中心線から外側の外側部位と軸方向中心線から内側の内側部位とに区分したときに、コーナー部材の外側部位の耐力と内側部位の耐力とが同一となり、フレームの振動によって第１および第２アームの外端部やダンパーの外端部、コーナー部材に荷重が作用したとしても、その荷重をコーナー部材の外側部位と内側部位とで均等に分担することができる。制震装置は、コーナー部材に作用する荷重をその外側部位と内側部位とで均等に分担することができるから、コーナー部材に不要な曲げモーメントが発生せず、コーナー部材の振動発生時における変形や破損を防ぐことができ、コーナー部材に不要な曲げモーメントが発生することによる振動抑制機能の低下やコーナー部材の変形や破損による振動抑制機能の低下を防ぐことができる。制震装置は、大きな変位量を振動エネルギー吸収ダンパーに作用させることができ、ダンパーの伸縮によってフレームの振動を熱に変換することで、振動を確実に抑制することができる。なお、前記特許文献１に開示の制震構造物では第１および第２アームの軸方向中心線と第１ピンの軸方向中心線との交点がＬ形第１コーナー材の第１中心線と第２中心線との交点の位置にあるのに対し、この制震装置では第１および第２アームの軸方向中心線とピンの軸方向中心線との交点が図心の位置にあり、図心の位置が前記特許文献１の第１中心線と第２中心線との交点よりも外側となる。したがって、この制震装置の第１および第２アームの軸方向の長さ寸法が特許文献１の制震構造物の第１および第２アームのそれよりも長くなる。それによって、この制震装置の第１および第２アームの外端部の水平変位量と特許文献１に開示の制震構造物の第１および第２アームの外端部の水平変位量とが同一であったとしても、この制震装置の回転ヒンジの回転変位量が特許文献１の制震構造物の回転ヒンジの回転変位量よりも大きくなり、振動発生時にダンパーのロッドが特許文献１の制震構造物のダンパーのそれよりも大きく伸縮するから、特許文献１の制震構造物に比較して振動抑制機能を高くすることができる。また、前記特許文献１に開示の制震構造物ではダンパーの軸方向中心線と第１ピンの軸方向中心線との交点がＬ形第１コーナー材の第１中心線と第２中心線との交点の位置にあるのに対し、この制震装置ではダンパーの軸方向中心線とピンの軸方向中心線との交点が図心の位置にあり、図心の位置が前記特許文献１の第１中心線と第２中心線との交点よりも外側となる。したがって、この制震装置は、ダンパーの軸方向の長さ寸法が特許文献１の制震構造物のダンパーのそれよりも長くなり、振動発生時にダンパーのロッドが特許文献１の制震構造物のダンパーのそれよりも大きく伸縮するから、特許文献１の制震構造物に比較して振動抑制機能を高くすることができる。
【００１８】
コーナー部材がＬ形の外側コーナー材とフレームの内側に向かって延びるＬ形の内側コーナー材とから形成され、第１および第２アームの外端部とダンパーの外端部とが内側コーナー材を挟んで互いに離間対向する第１部分と第２部分とから形成され、それらアームおよびダンパーの第１部分と第２部分とを回転可能に支持するピンがそれらアームおよびダンパーの軸方向中心線に対して直角方向へ延びるとともに、内側コーナー材に開口するピン孔に挿通されて第１および第２部分につながる連結構造を採用した制震装置は、その連結構造が必要以上に高い制作制度を要しない単純な構造であり、コーナー部材の製作工数を最小限にすることができ、制振装置の生産効率や現地組立の効率が向上し、製作費の低減による採算性を改善することができる。
【００１９】
第１および第２アームの軸方向中心線とピンの軸方向中心線との交点が第１および第３角部の角度を二分する切断線で外側コーナー材と内側コーナー材とを切断した場合のコーナー部材の切断面から求めた図心の位置にあり、ダンパーの軸方向中心線とピンの軸方向中心線との交点が第２角部の角度を二分する切断線で外側コーナー材と内側コーナー材とを切断した場合のコーナー部材の切断面から求めた図心の位置にある制震装置は、ピンの軸方向中心線を基準としてコーナー部材をその軸方向中心線から外側の外側部位と軸方向中心線から内側の内側部位とに区分したときに、コーナー部材の外側部位の耐力と内側部位の耐力とが同一となり、フレームの振動によって第１および第２アームの外端部やダンパーの外端部、コーナー部材に荷重が作用したとしても、その荷重をコーナー部材の外側部位と内側部位とで均等に分担することができる。制震装置は、コーナー部材に作用する荷重をその外側部位と内側部位とで均等に分担することができるから、コーナー部材に不要な曲げモーメントが発生せず、コーナー部材の振動発生時における変形や破損を防ぐことができ、コーナー部材に不要な曲げモーメントが発生することによる振動抑制機能の低下やコーナー部材の変形や破損による振動抑制機能の低下を防ぐことができる。制震装置は、大きな変位量を振動エネルギー吸収ダンパーに作用させることができ、ダンパーの伸縮によってフレームの振動を熱に変換することで、振動を確実に抑制することができる。なお、前記特許文献１に開示の制震構造物では第１および第２アームの軸方向中心線と第１ピンの軸方向中心線との交点がＬ形第１コーナー材の第１中心線と第２中心線との交点の位置にあるのに対し、この制震装置では第１および第２アームの軸方向中心線とピンの軸方向中心線との交点が図心の位置にあり、図心の位置が前記特許文献１の第１中心線と第２中心線との交点よりも外側となる。したがって、この制震装置の第１および第２アームの軸方向の長さ寸法が特許文献１の制震構造物の第１および第２アームのそれよりも長くなる。それによって、この制震装置の第１および第２アームの外端部の水平変位量と特許文献１に開示の制震構造物の第１および第２アームの外端部の水平変位量とが同一であったとしても、この制震装置の回転ヒンジの回転変位量が特許文献１の制震構造物の回転ヒンジの回転変位量よりも大きくなり、振動発生時にダンパーのロッドが特許文献１の制震構造物のダンパーのそれよりも大きく伸縮するから、特許文献１の制震構造物に比較して振動抑制機能を高くすることができる。また、前記特許文献１に開示の制震構造物ではダンパーの軸方向中心線と第１ピンの軸方向中心線との交点がＬ形第１コーナー材の第１中心線と第２中心線との交点の位置にあるのに対し、この制震装置ではダンパーの軸方向中心線とピンの軸方向中心線との交点が図心の位置にあり、図心の位置が前記特許文献１の第１中心線と第２中心線との交点よりも外側となる。したがって、この制震装置は、ダンパーの軸方向の長さ寸法が特許文献１の制震構造物のダンパーのそれよりも長くなり、振動発生時にダンパーのロッドが特許文献１の制震構造物のダンパーのそれよりも大きく伸縮するから、特許文献１の制震構造物に比較して振動抑制機能を高くすることができる。
【００２０】
第１および第２アームの外端部を回転可能に支持するピンの軸方向中心線とダンパーの外端部を回転可能に支持するピンの軸方向中心線とが図心を通って互いに直交する主軸となる二本の中立軸のうちの一方の中立軸に一致し、第１および第２アームの軸方向中心線とダンパーの軸方向中心線とが二本の中立軸のうちの他方の中立軸に一致する制振装置は、第１〜第３角部のコーナー部材のうちのピンの軸方向中心線から外側の外側部位の耐力とコーナー部材のうちのピンの軸方向中心線から内側の内側部位の耐力とが同一となり、振動によって第１および第２アームの外端部やダンパーの外端部、コーナー部材に荷重が作用したとしても、その荷重を外側部位と内側部位とで均等に分担することができる。制震装置は、コーナー部材に作用する荷重をその外側部位と内側部位とで均等に分担することができるから、コーナー部材に不要な曲げモーメントが発生せず、コーナー部材の振動発生時における変形や破損を防ぐことができ、コーナー部材に不要な曲げモーメントが発生することによる振動抑制機能の低下やコーナー部材の変形や破損による振動抑制機能の低下を防ぐことができる。この制振装置は、第１および第２アームやダンパーの軸方向中心線を基準としてコーナー部材をその軸方向中心線から一方の側の一方部位と軸方向中心線から他方の側の他方部位とに区分したときに、コーナー部材の一方部位の耐力と他方部位の耐力とが同一となり、振動によって第１および第２アームの外端部やダンパーの外端部、コーナー部材に荷重が作用したとしても、その荷重を一方部位と他方部位とで均等に分担することができる。制震装置は、コーナー部材に作用する荷重を一方部位と他方部位とで均等に分担することができるから、コーナー部材に不要な曲げモーメントが発生せず、コーナー部材の振動発生時における変形や破損を防ぐことができ、コーナー部材に不要な曲げモーメントが発生することによる振動抑制機能の低下やコーナー部材の変形や破損による振動抑制機能の低下を防ぐことができる。この制震装置は、大きな変位量を振動エネルギー吸収ダンパーに作用させることができ、ダンパーの伸縮によってフレームの振動を熱に変換することで、振動を確実に抑制することができる。
【００２１】
第１〜第３角部の角度が９０度であり、第１〜第３角部を形成するコーナー部材の形状と大きさとが同一である制震装置は、第１〜第３角部の角度やコーナー部材の形状および大きさを統一することで、コーナー部材を規格・標準化することができ、大きさや縦横のサイズが異なるフレームに対応させてコーナー部材の形状や大きさを変える必要はなく、大きさや縦横のサイズが異なるすべてのフレームに規格・標準化したコーナー部材を使用して制振装置を組み立てることができ、制震装置の作製にかかるコストを低減することができる。
【００２２】
コーナー部材が鋳造品または鍛造品あるいは溶接品である制振装置は、鋳造または鍛造によってＬ形第１および第２コーナー材とＬ形第３コーナー材とが一体となったコーナー部材を簡単に作ることができるから、コーナー部材の生産性が向上し、コーナー部材を廉価に製作することができ、その結果、制振装置の製作費を低減することができる。また、鋳造または鍛造によって外側コーナー材と内側コーナー材とが一体となったコーナー部材を簡単に作ることができるから、コーナー部材の生産性が向上し、コーナー部材を廉価に製作することができ、その結果、制振装置の製作費を低減することができる。さらに、Ｌ形第１および第２コーナー材とＬ形第３コーナー材とを溶接によって一体化することでコーナー部材を作る場合は、コーナー部材の製作工数を最小限にすることができ、コーナー部材を廉価に製作することができる結果、制振装置の製作費を低減することができる。
【図面の簡単な説明】
【００２３】
【図１】一例として示す制震装置の正面図。
【図２】一例として示すコーナー部材の正面図。
【図３】コーナー部材の斜視図。
【図４】図３のコーナー部材の分解斜視図。
【図５】図４のコーナー部材の切断面から図心を求める場合の説明図。
【図６】ピンの軸方向中心線がコーナー材の図心にある場合と軸方向中心線が第１コーナー材の第１中心線および第２中心線の交点にある場合との比較図。
【図７】制震装置を取り付けた１つの架構の正面図。
【図８】一例として示す架構の全体正面図。
【図９】制震装置による振動減衰機能の説明図。
【図１０】制震装置による振動減衰機能の説明図。
【図１１】他の一例として示すコーナー部材の斜視図。
【図１２】図１１のコーナー部材の分解斜視図。
【図１３】図１２のコーナー部材の切断面から図心を求める場合の説明図。
【図１４】他の一例として示すコーナー部材の正面図。
【図１５】アームの図示を省略した図１４のコーナー部材の斜視図。
【図１６】図１５のコーナー部材の切断面から図心を求める場合の説明図。
【発明を実施するための形態】
【００２４】
一例として示す制震装置１０の正面図である図１等の添付の図面を参照し、本発明にかかる制震装置の詳細を説明すると、以下のとおりである。なお、図２は、一例として示すコーナー部材１９の正面図であり、図３は、コーナー部材１９の斜視図である。図４は、図３のコーナー部材１９の分解斜視図であり、図５は、図４のコーナー部材１９の切断面６２から図心６３を求める場合の説明図である。図６は、ピン５９の軸方向中心線Ｌ１がコーナー部材１９の切断面６２の図心６３にある場合とピン５９の軸方向中心線Ｌ１が第１コーナー材２１の第７中心線Ｌ１１および第８中心線Ｌ１２の交点６４にある場合との比較図である。
【００２５】
図２〜図５では、縦方向を矢印Ａ（図５を除く）、横方向を矢印Ｂで示し、前後方向を矢印Ｃ（図１，２を除く）で示す。図２〜図６では、スタッドボルト２０の図示を省略している。図３，４では、アーム３８の図示を省略している。なお、図２〜図５は第１角部１１のコーナー部材１９を図示しているが、第２および第３角部１２，１３のコーナー部材１９の説明では図２〜図５を援用し、第２および第３角部１２，１３のコーナー部材１９の図２〜図５と同様の図の提示は省略する。この制震装置１０は、鉄筋コンクリート造や鉄筋鉄骨コンクリート造の既設建物（図示せず）の柱６５と梁６６とから作られた架構６７に設置され（図７，８参照）、地震等によって建物に生じた振動を抑制する。
【００２６】
制震装置１０は、四隅に第１〜第４角部１１〜１４を有する四角形のフレーム１５と、フレーム１５の内側に設置された振動減衰機構１６とから形成されている。フレーム１５では、第１角部１１の対角に第３角部１３が位置し、第２角部１２の対角に第４角部１４が位置している。フレーム１５は、縦方向へ延びる一対の縦枠材１７と、横方向へ延びる一対の横枠材１８と、第１〜第３角部１１〜１３を形成するコーナー部材１９とから作られている。
【００２７】
縦枠材１７と横枠材１８とは、断面形状がコ字形に成形された鋼材であり、防錆処理（塗装処理）が施されている。縦枠材１７および横枠材１８には、そこから外側に突出する複数本のスタッドボルト２０が取り付けられている（図１参照）。コーナー部材１９は、断面形状が略コ字形に成形された鋼材であり、第１〜第３コーナー材２１〜２３から作られている（図３，４参照）。第１〜第３角部１１〜１３を形成するコーナー部材１９は、それらの形状と大きさとが同一である。第１〜第３コーナー材２１〜２３は、側面形状がＬ形に成形された鋼材であり、防錆処理（塗装処理）が施されている。
【００２８】
なお、第１〜第３角部１１〜１３が特許請求の範囲における第１〜第３角部に直ちに該当するものではなく、第１〜第４角部１１〜１４のうちのいずれかの角部を特許請求の範囲における第１角部にすることができる。たとえば、第２角部１２を特許請求の範囲における第１角部とすると、第４角部１４が特許請求の範囲における第３角部となり、第１または第３角部１１，１３が特許請求の範囲における第２角部となる。また、第３角部１３を特許請求の範囲における第１角部とすると、第１角部１１が特許請求の範囲における第３角部となり、第２または第４角部１２，１４が特許請求の範囲における第２角部となる。さらに、第２角部１２を特許請求の範囲における第１角部とすると、第４角部１４が特許請求の範囲における第３角部となり、第１または第３角部１１，１３が特許請求の範囲における第２角部となる。
【００２９】
第１および第２コーナー材２１，２２は、縦方向へ延びる所定面積の第１側面部２４と、第１側面部２４に直交して横方向へ延びる所定面積の第２側面部２５と、縦方向へ延びる第１外側部２６および第１外側部２６に直交して横方向へ延びる第２外側部２７と、縦方向へ延びる第１内側部２８および第１内側部２８に直交して横方向へ延びる第２内側部２９とを有する。
【００３０】
第１外側部２６と第２外側部２７とは、その長さ寸法が同一であり、それら外側部２６，２７の交差角度α１が９０度である。第１内側部２８と第２内側部２９とは、その長さ寸法が同一であり、それら内側部２８，２９の交差角度α２が９０度である。第１〜第３角部１１〜１３を形成する第１および第２コーナー材２１，２２は、それらの形状と大きさとが同一であり、かつ、第１および第２側面部２４，２５の厚み寸法が同一である。
【００３１】
第３コーナー材２３は、縦方向へ延びる所定面積の第１側面部３０と、第１側面部３０に直交して横方向へ延びる所定面積の第２側面部３１と、縦方向へ延びる第１外側部３２および第１外側部３２に直交して横方向へ延びる第２外側部３３と、縦方向へ延びる第３外側部３４および第３外側部３４に直交して横方向へ延びる第４外側部３５とを有する。
【００３２】
第１〜第４外側部３２〜３５は、その長さ寸法が同一である。第１外側部３２と第２外側部３３との交差角度α１は、９０度であり、第３外側部３４と第４外側部３５との交差角度α１は、９０度である。第１〜第３角部１１〜１３を形成する第３コーナー材２３は、それらの形状と大きさとが同一であり、かつ、第１および第２側面部３０，３１の厚み寸法が同一である。第３コーナー材２３の第１側面部および第２側面部３０，３１には、そこから外側に突出する複数本のスタッドボルト２０が取り付けられている（図１参照）。
【００３３】
コーナー部材１９や縦枠材１７、横枠材１８には、鋳造品または鍛造品あるいは溶接品を使用することができる。コーナー部材１９や縦枠材１７、横枠材１８が鋳造品である場合は、金属材料を加熱して液体にした後、それを鋳型（鋳造金型）に流し込み、冷却して断面コ字状のコーナー部材１９や縦枠材１７、横枠材１８が作られる。コーナー部材１９や縦枠材１７、横枠材１８が鍛造品（型鍛造）である場合は、鍛造機械に上下一対の金型を取り付け、加熱された金属材料を金型上に載置して打撃または加圧によって断面コ字状のコーナー部材１９や縦枠材１７、横枠材１８が作られる。鋳造や鍛造では、第１および第２コーナー材２１，２２と第３コーナー材２３とが一体となったコーナー部材１９が作られる。
【００３４】
コーナー部材１９が溶接品である場合は、第３コーナー材２３の第１側面部３０の内側に第１および第２コーナー材２１，２２の第１外端部２６が溶接によって接合され、第３コーナー材２３の第２側面部３１の内側に第１および第２コーナー材２１，２２の第２外端部２７が溶接によって接合され、断面コ字状のコーナー部材１９が作られる。縦枠材１７や横枠材１８が溶接品である場合は、それら枠材１７，１８を形成する各パーツが溶接によって接合され、断面コ字状の縦枠材１７や横枠材１８が作られる。
【００３５】
フレーム１５では、縦枠材１７の縦方向両端部とコーナー部材１９の一方の端部３６とが溶接によって接合され、横枠材１８の横方向両端部とコーナー部材１９の他方の端部３７とが溶接によって接合されている。第４角部１４では、縦枠材１７の端部と横枠材１８の端部とが溶接によって接合されている。フレーム１５では、第１〜第４角部１１〜１４の角度α１が９０度である。なお、図示のフレーム１５はその正面形状が横方向へ長い長方形であるが、フレーム１５の正面形状をそれに限定するものではなく、正四角形や縦方向へ長い長方形であってもよい。
【００３６】
振動減衰機構１６は、第１角部１１からフレーム１５の内側に向かって延びる第１アーム３８と、第３角部１３からフレーム１５の内側に向かって延びる第２アーム３９と、第２角部１２からフレーム１５の内側に向かって延びる油圧ダンパー４０（振動エネルギー吸収ダンパー）と、回転ヒンジ４１とから形成されている。
【００３７】
第１アーム３８は、第１角部１１に回転可能に支持（連結）された外端部４２と、回転ヒンジ４１に回転可能に支持（連結）された内端部４３と、それら端部４２，４３の間に延びる円柱状の中間部４４とを有する。第１アーム３８の外端部４２には、第１ピン孔４５（ピン孔）が形成され、その内端部４３には、第２ピン孔４６が形成されている。
【００３８】
第２アーム３９は、第３角部１３に回転可能に支持（連結）された外端部４７と、回転ヒンジ４１に回転可能に支持（連結）された内端部４８と、それら端部４７，４８の間に延びる円柱状の中間部４９とを有する。第２アーム３９の外端部４７には、第１ピン孔５０（ピン孔）が形成され、その内端部４８には、第２ピン孔５１が形成されている。第１アーム３８と第２アーム３９とは、それらの長さ寸法（端部から端部までの寸法）が同一であるが、それらの長さ寸法が異なっていてもよい。
【００３９】
油圧ダンパー４０は、シリンダー５２およびロッド５３から形成されている。ダンパー４０は、第２角部１２に回転可能に支持（連結）された外端部５４と、回転ヒンジ４１に回転可能に支持（連結）された内端部５５とを有する。ダンパー４０の外端部５４には、第１ピン孔５６（ピン孔）が形成され、その内端部５５には、第２ピン孔５７が形成されている。
【００４０】
第１および第２アーム３８，３９やダンパー４０の内端部４３，４８，５５の第２ピン孔４６，５１，５７には、第２ピン５８が挿通されている。第２ピン５８は、それらアーム３８，３９およびダンパー４０の一点鎖線で示す軸方向中心線Ｌ２に対して直角方向へ延びている。第１および第２アーム３８，３９とダンパー４０とは、第２ピン５８を介して回転ヒンジ４１に回転可能に支持されている。
【００４１】
第１アーム３８と第２アーム３９とは、縦方向上方へ凸となるように回転ヒンジ４１を介して所定の角度で連結されている。第１および第２アーム３８，３９と油圧ダンパー４０とは、回転ヒンジ４１を介してトグル機構を構成している。なお、第１アーム３８と第２アーム３９とが縦方向下方へ凸となるように回転ヒンジ４１を介して所定の角度で連結されていてもよい。
【００４２】
なお、第１アーム３８の外端部４２が第４角部１４に支持され、第２アーム３９の外端部４７が第２角部１２に支持され、ダンパー４０の外端部５４が第３角部に支持される場合、第１アーム３８と第２アーム３９とが縦方向下方へ凸となるように回転ヒンジ４１を介して所定の角度で連結され、第１および第２アーム３８，３９と油圧ダンパー４０とが回転ヒンジ４１を介してトグル機構を構成する。
【００４３】
第１角部１１における第１コーナー材２１と第２コーナー材２２との間には、第３コーナー材２３と平行して前後方向へ延びる第１ピン５９（ピン）が配置されている。第１ピン５９は、第１アーム３８の一点鎖線で示す軸方向中心線Ｌ２に対して直角方向へ延びている。第１ピン５９は、第１アーム３８の外端部４２の第１ピン孔４５に回転可能に挿通され、第１および第２コーナー材２１，２２に形成されたピン孔に挿入された状態でそれらコーナー材２１，２２に固定されている。
【００４４】
なお、第１ピン５９は、第１アーム３８の外端部４２の第１ピン孔４５に挿入された状態で外端部４２に固定されるとともに、第１および第２コーナー材２１，２２に形成されたピン孔に回転可能に挿通されていてもよい。第１アーム３８の外端部４２に開口する第１ピン孔４５は、第１および第２コーナー材２１，２２に形成されたピン孔に一致している。第１アーム３８は、その外端部４２が第１ピン５９を介して第１角部１１に回転可能に支持され、ピン５９（第１ピン孔４５）を旋回軸として縦枠材１７と横枠材１８との間を旋回可能である。
【００４５】
第１ピン５９の一点鎖線で示す軸方向中心線Ｌ１と第１アーム３８の軸方向中心線Ｌ２との交点６０は、第１角部１１の角度α１（９０度）を二分する（第１外側部２６と第２外側部２７との交差角度α１（９０度）を二分する）切断線６１（第１外側部２６と切断線６１との交差角度４５度、第２外側部２７と切断線６１との交差角度４５度）で第１〜第３コーナー材２１〜２３を切断した場合のコーナー部材１９の切断面６２の図心６３の位置にある。
【００４６】
第１ピン５９の軸方向中心線Ｌ１は、図心６３を通ってピン５９の軸方向中心線Ｌ１と同一方向（第３コーナー材２３の第１および第２側面部３０，３１と平行する前後方向）へ延びる第１線分Ｌ３（図心を通る主軸となる一方の中立軸）に一致している。第１アーム３８の軸方向中心線Ｌ２は、図心６３を通ってアーム３８の軸方向中心線Ｌ２と同一方向へ延びる第２線分Ｌ４（図心を通る主軸となる他方の中立軸）に一致している（図５参照）。
【００４７】
第３角部１３における第１コーナー材２１と第２コーナー材２２との間には、第３コーナー材２３と平行して前後方向へ延びる第１ピン５９（ピン）が配置されている。第１ピン５９は、第２アーム３９の一点鎖線で示す軸方向中心線Ｌ２に対して直角方向へ延びている。第１ピン５９は、第２アーム３９の外端部４７の第１ピン孔５０に回転可能に挿通され、第１および第２コーナー材２１，２２に形成されたピン孔に挿入された状態でそれらコーナー材２１，２２に固定されている。
【００４８】
なお、第１ピン５９は、第２アーム３９の外端部４７の第１ピン孔５０に挿入された状態で外端部４７に固定されるとともに、第１および第２コーナー材２１，２２に形成されたピン孔に回転可能に挿通されていてもよい。第２アーム３９の外端部４７に開口する第１ピン孔５０は、第１および第２コーナー材２１，２２に形成されたピン孔に一致している。第２アーム３９は、その外端部４７が第１ピン５９を介して第３角部１３に回転可能に支持され、ピン５９（第１ピン孔５０）を旋回軸として縦枠材１７と横枠材１８との間を旋回可能である。
【００４９】
第１ピン５９の一点鎖線で示す軸方向中心線Ｌ１と第２アーム３９の軸方向中心線Ｌ２との交点６０は、第３角部１３の角度α１（９０度）を二分する（第１外側部２６と第２外側部２７との交差角度α１（９０度）を二分する）切断線６１（第１外側部２６と切断線６１との交差角度４５度、第２外側部２７と切断線６１との交差角度４５度）で第１〜第３コーナー材２１〜２３を切断した場合のコーナー部材１９の切断面６２の図心６３の位置にある。
【００５０】
第１ピン５９の軸方向中心線Ｌ１は、図心６３を通ってピン５９の軸方向中心線Ｌ１と同一方向（第３コーナー材２３の第１および第２側面部３０，３１と平行する前後方向）へ延びる第１線分Ｌ３（図心を通る主軸となる一方の中立軸）に一致している。第２アーム３９の軸方向中心線Ｌ２は、図心６３を通ってアーム３９の軸方向中心線Ｌ２と同一方向へ延びる第２線分Ｌ４（図心を通る主軸となる他方の中立軸）に一致している（図５援用）。
【００５１】
第２角部１２における第１コーナー材２１と第２コーナー材２２との間には、第３コーナー材２３と平行して前後方向へ延びる第１ピン５９（ピン）が配置されている。第１ピン５９は、ダンパー４０の一点鎖線で示す軸方向中心線Ｌ２に対して直角方向へ延びている。第１ピン５９は、ダンパー４０の外端部５４の第１ピン孔５６に回転可能に挿通され、第１および第２コーナー材２１，２２に形成されたピン孔に挿入された状態でそれらコーナー材２１，２２に固定されている。
【００５２】
なお、第１ピン５９は、ダンパー４０の外端部５４の第１ピン孔５６に挿入された状態で外端部５４に固定されるとともに、第１および第２コーナー材２１，２２に形成されたピン孔に回転可能に挿通されていてもよい。ダンパー４０の外端部５４に開口する第１ピン孔５６は、第１および第２コーナー材２１，２２に形成されたピン孔に一致している。ダンパー４０は、その外端部５４が第１ピン５９を介して第２角部１２に回転可能に支持され、ピン５９（第１ピン孔５６）を旋回軸として縦枠材１７と横枠材１８との間を旋回可能である。
【００５３】
第１ピン５９の一点鎖線で示す軸方向中心線Ｌ１とダンパー４０の軸方向中心線Ｌ２との交点は、第２角部１２の角度α１（９０度）を二分する（第１外側部２６と第２外側部２７との交差角度α１（９０度）を二分する）切断線６１（第１外側部２６と切断線６１との交差角度４５度、第２外側部２７と切断線６１との交差角度４５度）で第１〜第３コーナー材２１〜２３を切断した場合のコーナー部材１９の切断面６２の図心６３の位置にある。
【００５４】
第１ピン５９の軸方向中心線Ｌ１は、図心６３を通ってピン５９の軸方向中心線Ｌ１と同一方向（第３コーナー材２３の第１および第２側面部３０，３１と平行する前後方向）へ延びる第１線分Ｌ３（図心を通る主軸となる一方の中立軸）に一致している。ダンパー４０の軸方向中心線Ｌ２は、図心６３を通ってダンパー４０の軸方向中心線Ｌ２と同一方向へ延びる第２線分Ｌ４（図心を通る主軸となる他方の中立軸）に一致している（図５援用）。
【００５５】
図５に基づいてコーナー部材１９の図心６３を求める手順を説明すると、以下のとおりである。第３コーナー材２３の切断面６２の反対側であってコーナー部材１９の切断面６２から所定寸法離間した位置にＸ軸を仮想し、第１および第２コーナー材２１，２２の切断面６２の反対側であってコーナー部材１９の切断面６２から所定寸法離間した位置にＹ軸を仮想する。次に、Ｘ軸からコーナー部材１９に向かって離間したＹ軸上の距離ＹｏをＹｏ＝（Ｙａ×ａ＋Ｙｂ×ｂ＋Ｙｃ×ｃ）÷（ａ＋ｂ＋ｃ）によって求め、その距離Ｙｏにおいて第３コーナー材２３の第１および第２側面部３０，３１と平行する前後方向へ第１線分Ｌ３（中立軸）を仮想する。さらに、Ｙ軸からコーナー部材１９に向かって離間したＸ軸上の距離ＸｏをＸｏ＝（Ｘａ×ａ＋Ｘｂ×ｂ＋Ｘｃ×ｃ）÷（ａ＋ｂ＋ｃ）によって求め、その距離Ｘｏにおいて第１および第２コーナー材２１，２２の第１および第２側面部２４，２５と平行する方向へ第２線分Ｌ４（中立軸）を仮想する。第１および第２線分Ｌ３，Ｌ４を仮想した場合のそれら線分Ｌ３，Ｌ４の交点がコーナー部材１９の図心６３となる。
【００５６】
ここで、Ｙａは、Ｘ軸から第３コーナー材２３の切断面６２の短手方向の寸法を二分する第１中心線Ｌ５までの距離、Ｙｂは、Ｘ軸から第１コーナー材２１の切断面６２の長手方向の寸法を二分する第２中心線Ｌ６までの距離であり、Ｙｃは、Ｘ軸から第２コーナー材２２の切断面６２の長手方向の寸法を二分する第３中心線Ｌ７までの距離である。Ｘａは、Ｙ軸から第３コーナー材２３の切断面６２の長手方向の寸法を二分する第４中心線Ｌ８までの距離、Ｘｂは、Ｙ軸から第１コーナー材２１の切断面６２の短手方向の寸法を二分する第５中心線Ｌ９までの距離であり、Ｘｃは、Ｙ軸から第２コーナー材２２の切断面６２の短手方向の寸法を二分する第６中心線Ｌ１０までの距離である。また、ａは、第３コーナー材２３の切断面６２の面積、ｂは、第１コーナー材２１の切断面６２の面積であり、ｃは、第２コーナー材２２の切断面６２の面積である。前記式を利用することで、第１〜第３コーナー材２１〜２３から作られたコーナー部材１９の図心６３を正確に求めることができる。
【００５７】
ピン５９の軸方向中心線Ｌ１が図心６３にある場合とピン５９の軸方向中心線Ｌ１が第１コーナー材２１の第７中心線Ｌ１１および第８中心線Ｌ１８の交点６４にある場合とでは、図６に示すように、ピン５９の軸方向中心線Ｌ１の位置が異なる。なお、第７中心線Ｌ１１は、第１コーナー材２１のうち、縦枠材１７につながる第１側面部２４を横方向に二分して縦方向へ延びる線であり、第８中心線Ｌ１２は、横枠材１８につながる第２側面部２５を縦方向に二分して横方向へ延びる線である。
【００５８】
ピン５９の軸方向中心線Ｌ１が図心６３にある場合は、ピン５９の軸方向中心線Ｌ１が第１コーナー材２１の第７中心線Ｌ１１および第８中心線Ｌ１２の交点６４にある場合よりも、軸方向中心線Ｌ１が第３コーナー材２３に近接する（ピン５９の軸方向中心線Ｌ１が第１コーナー材２１の第７中心線Ｌ１１および第８中心線Ｌ１２の交点６４にある場合よりも外側に位置する）。その結果、同一サイズのフレーム１５に第１および第２アーム３８，３９やダンパー４０を取り付けたときに、それらアーム３８，３９やダンパー４０の長さを長くすることができる。
【００５９】
図７は、制震装置１０を取り付けた１つの架構６７の正面図であり、図８は、一例として示す架構６７の全体正面図である。図９，１０は、制震装置１０による振動減衰機能の説明図である。図７ではスタッドボルト２０および鋼管コッター６８を図示しているが、実際にはボルト２０やコッター６８はモルタル６９に埋設され、モルタル６９から露出することはない。図９，１０では、架構６７の図示を省略している。図７，８では、縦方向を矢印Ａで示し、横方向を矢印Ｂで示す。
【００６０】
制震装置１０では、そのフレーム１５が既設建物の架構６７の内側に設置される。架構６７全体では、それを横方向へ二分する中心線Ｌ１３に対して制震装置１０を設置した架構６７が左右対称に配置されている。より詳細には、制震装置１０が中心線Ｌ１３を挟んで同一階の同一架構６７に設置され、振動減衰機構１６が中心線Ｌ１３を挟んで左右両側に互いに鏡像関係になるように設置されている。架構６７を形成する柱６５と梁６６とには、架構６７の内側に突出する鋼管コッター６８（またはアンカー筋）が取り付けられている。鋼管コッター６８は、柱６５や梁６６にドリルで柱６５や梁６６に開けた孔に挿入され、グラウト剤で柱６５や梁６６に固定されている。
【００６１】
フレーム１５は、その正面形状が１つの架構６７と同形であるが、その大きさが架構６７のそれよりもわずかに小さい。フレーム１５を架構６７の内側に配置すると、フレーム１５と架構６７との間に間隙が形成される。フレーム１５と架構６７とは、図７に示すように、柱６５や梁６６に取り付けられた鋼管コッター６８とフレーム１５に取り付けられたスタッドボルト２０とが並んだ状態で、間隙に充填された繊維モルタル６９を介して連結されている。繊維モルタル６９に替えてモルタルを使用することもできるが、この場合は、スタッドボルト２９と鋼管コッター６８との間にスパイラル筋を配筋する。フレーム１５と架構６７とを連結する手順は、フレーム１５と架構６７との間隙を取り囲むように型枠を組み、型枠内に繊維モルタル６９を充填する。繊維モルタル６９を所定期間養生し、モルタル６９が固化した後、型枠を外す。
【００６２】
制震装置１０による振動減衰の原理を説明すると、以下のとおりである。地震等によって既設建物に振動が生じ、その振動が架構６７を介して制震装置１０に伝わる。建物の任意の階層が右方向（横方向右方）へ水平変形したとすると、図９に矢印Ａ１で示すように、架構６７とともにその架構６７に設置された制震装置１０も右方向へ水平変形する。ただし、フレーム１５の縦方向の伸縮を無視してフレーム１５が水平変形したものとする。
【００６３】
架構６７とともにフレーム１５が右方向へ水平変形すると、フレーム１５に設置された振動減衰機構１６の第１アーム３８および第２アーム３９が第１ピン５９を中心として回転運動を行う。それらアーム３８，３９が回転運動すると、それらアーム３８，３９の水平変位量によって回転ヒンジ４１の回転変位量が増幅されて大きくなる。このように、第１ピン５９を中心としたそれらアーム３８，３９の小さな水平変位量が回転ヒンジ４１の大きな回転変位量に変換され、小さい変位量×大きな力＝大きな変位量×小さな力という関係が成立する。すなわち、油圧ダンパー４０のロッド５３が大きく伸縮して架構６７の振動が熱に変換され、小さな力によって架構６７の振動が減衰されるとともに、それと同時に既設建物の振動が抑制される。
【００６４】
次に、建物の任意の階層が左方向（横方向左方）へ水平変形したとすると、図１０に矢印Ａ２で示すように、架構６７とともにその架構６７に設置された制震装置１０も左方向へ水平変形する。なお、図９と同様に、フレーム１５の縦方向の伸縮を無視してフレーム１５が水平変形したものとする。架構６７とともにフレーム１５が左方向へ水平変形すると、フレーム１５に設置された振動減衰装置１６の第１アーム３８および第２アーム３９が第１ピン５９を中心として回転運動を行う。それらアーム３８，３９が回転運動すると、それらアーム３８，３９の水平変位量によって回転ヒンジ４１の回転変位量が増幅されて大きくなり、油圧ダンパー４０のロッド５３が大きく伸縮して架構６７の振動が熱に変換され、小さな力によって架構６７の振動が減衰されるとともに、それと同時に既設建物の振動が抑制される。
【００６５】
制震装置１０は、コーナー部材１９が互いに対向配置されたＬ形第１および第２コーナー材２１，２２とＬ形第３コーナー材２３とから形成され、それらアーム３８，３９およびダンパー４０の外端部４２，４７，５４を回転可能に支持するピン５９がアーム３８，３９およびダンパー４０の軸方向中心線Ｌ２と直交して延びるとともに、外端部４２，４７，５４に開口するピン孔４５，５０，５６に挿通されて第１および第２コーナー材２１，２２につながる連結構造を採用しているから、その連結構造が必要以上に高い制作制度を要しない単純な構造であり、コーナー部材１９の製作工数を最小限にすることができ、制振装置１０の生産効率や現地組立の効率が向上し、制振装置１０の製作費の低減による採算性を改善することができる。
【００６６】
制振装置１０は、鋳造または鍛造によってＬ形第１および第２コーナー材２１，２２とＬ形第３コーナー材２３とが一体となったコーナー部材１９を簡単に作ることができるから、コーナー部材１９の生産性が向上し、コーナー部材１９を廉価に製作することができ、その結果、制振装置１０の製作費を低減することができる。また、Ｌ形第１および第２コーナー材２１，２２とＬ形第３コーナー材２３とを溶接によって一体化することでコーナー部材１９を作る場合は、コーナー部材１９の製作工数を最小限にすることができ、コーナー部材１９を廉価に製作することができる結果、制振装置１０の製作費を低減することができる。
【００６７】
制震装置１０は、第１および第２アーム３８，３９の軸方向中心線Ｌ２とそれらアーム３８，３９の外端部４２，４７を回転可能に支持するピン５９の軸方向中心線Ｌ１との交点６０が第１および第３角部１１，１３の角度を二分する切断線６１によって第１〜第３コーナー材２１〜２３を切断した場合のコーナー部材１９の切断面６２から求めた図心６３の位置にあり、図心６３を通ってピン５９の軸方向中心線Ｌ１と同一方向へ延びる第１線分Ｌ３にピン５９の軸方向中心線Ｌ１が一致しているから、ピン５９の軸方向中心線Ｌ１を基準としてコーナー部材１９をその軸方向中心線Ｌ１から外側の外側部位７０と軸方向中心線Ｌ１から内側の内側部位７１とに区分したときに、コーナー部材１９の外側部位７０の耐力と内側部位７１の耐力とが同一となり、フレーム１５の振動によって第１および第２アーム３８，３９の外端部４２，４７やコーナー部材１９に荷重が作用したとしても、その荷重をコーナー部材１９の外側部位７０と内側部位７１とで均等に分担することができる。
【００６８】
制震装置１０は、第１および第２アーム３８，３９の外端部４２，４７を支持するコーナー部材１９に作用する荷重をその外側部位７０と内側部位７１とで均等に分担することができるから、コーナー部材１９に不要な曲げモーメントが発生せず、コーナー部材１９の振動発生時における変形や破損を防ぐことができ、コーナー部材１９に不要な曲げモーメントが発生することによる振動抑制機能の低下やコーナー部材１９の変形や破損による振動抑制機能の低下を防ぐことができる。
【００６９】
制震装置１０は、ダンパー４０の軸方向中心線Ｌ２とダンパー４０の外端部５４を回転可能に支持するピン５９の軸方向中心線Ｌ１との交点６０が第２角部１２の角度を二分する切断線６１で第１〜第３コーナー材２１〜２３を切断した場合のコーナー部材１９の切断面６２から求めた図心６３の位置にあり、図心６３を通ってピン５９の軸方向中心線Ｌ１と同一方向へ延びる第１線分Ｌ３にピン５９の軸方向中心線Ｌ１が一致しているから、ピン５９の軸方向中心線Ｌ１を基準としてコーナー部材１９をその軸方向中心線Ｌ１から外側の外側部位７０と軸方向中心線Ｌ１から内側の内側部位７１とに区分したときに、コーナー部材１９の外側部位７０の耐力と内側部位７１の耐力とが同一となり、振動によってダンパー４０の外端部５４やコーナー部材１９に荷重が作用したとしても、その荷重を外側部位７０と内側部位７１とで均等に分担することができる。
【００７０】
制震装置１０は、ダンパー４０の外端部５４を支持するコーナー部材１９に作用する荷重をその外側部位７０と内側部位７１とで均等に分担することができるから、コーナー部材１９に不要な曲げモーメントが発生せず、コーナー部材１９の振動発生時における変形や破損を防ぐことができ、コーナー部材１９に不要な曲げモーメントが発生することによる振動抑制機能の低下やコーナー部材１９の変形や破損による振動抑制機能の低下を防ぐことができる。
【００７１】
制震装置１０は、図心６３を通って第１および第２アーム３８，３９の軸方向中心線Ｌ２と同一方向へ延びる第２線分Ｌ４に第１および第２アーム３８，３９の軸方向中心線Ｌ２が一致するから、第１および第２アーム３８，３９の軸方向中心線Ｌ２を基準としてコーナー部材１９をその軸方向中心線Ｌ２から一方の側の一方部位７２と軸方向中心線Ｌ２から他方の側の他方部位７３とに区分したときに、コーナー部材１９の一方部位７２の耐力と他方部位７３の耐力とが同一となり、振動によって第１および第２アーム３８，３９の外端部４２，４７やコーナー部材１９に荷重が作用したとしても、その荷重を一方部位７２と他方部位７３とで均等に分担することができる。
【００７２】
制震装置１０は、第１および第２アーム３８，３９の外端部４２，４７を支持するコーナー部材１９に作用する荷重を一方部位７２と他方部位７３とで均等に分担することができるから、コーナー部材１９に不要な曲げモーメントが発生せず、コーナー部材１９の振動発生時における変形や破損を防ぐことができ、コーナー部材１９に不要な曲げモーメントが発生することによる振動抑制機能の低下やコーナー部材１９の変形や破損による振動抑制機能の低下を防ぐことができる。
【００７３】
制震装置１０は、図心６３を通ってダンパー４０の軸方向中心線Ｌ２と同一方向へ延びる第２線分Ｌ４にダンパー４０の軸方向中心線Ｌ２が一致するから、ダンパー４０の軸方向中心線Ｌ２を基準としてコーナー部材１９をその軸方向中心線Ｌ２から一方の側の一方部位７２と軸方向中心線Ｌ２から他方の側の他方部位７３とに区分したときに、コーナー部材１９の一方部位７２の耐力と他方部位７３の耐力とが同一となり、振動によってダンパー４０の外端部５４やコーナー部材１９に荷重が作用したとしても、その荷重を一方部位７２と他方部位７３とで均等に分担することができる。
【００７４】
制震装置１０は、ダンパー４０の外端部５４を支持するコーナー部材１９に作用する荷重を一方部位７２と他方部位７３とで均等に分担することができるから、コーナー部材１９に不要な曲げモーメントが発生せず、コーナー部材１９の振動発生時における変形や破損を防ぐことができ、コーナー部材１９に不要な曲げモーメントが発生することによる振動抑制機能の低下やコーナー部材１９の変形や破損による振動抑制機能の低下を防ぐことができる。
【００７５】
制震装置１０は、第１ピン５９を中心としたそれらアーム３８，３９の小さな水平変位量が回転ヒンジ４１の大きな回転変位量に変換され、大きな変位量を油圧ダンパー４０（振動エネルギー吸収ダンパー）に作用させることができ、ダンパー４０のロッド５３の伸縮によってフレーム１５の振動を熱に変換することで、既設建物の振動を確実に抑制することができる。
【００７６】
なお、前記特許文献１に開示の制震構造物では第１および第２アームやダンパーの軸方向中心線と第１ピンの軸方向中心線との交点がＬ形第１コーナー材の第７中心線Ｌ１１と第８中心線Ｌ１２との交点６４の位置にあるのに対し（図６参照）、この制震装置１０では第１および第２アーム３８，３９やダンパー４０の軸方向中心線Ｌ２とピン５９の軸方向中心線Ｌ１との交点６０が図心６３の位置にあり、図心６３の位置が前記特許文献１の第７中心線Ｌ１１と第８中心線Ｌ１２との交点６４よりも外側となる。したがって、この制震装置１０の第１および第２アーム３８，３９やダンパー４０の軸方向の長さ寸法が特許文献１の制震構造物の第１および第２アームやダンパーのそれよりも長くなる。それによって、この制震装置１０の第１および第２アーム３８，３９の外端部４２，４７の水平変位量と特許文献１に開示の制震構造物の第１および第２アームの外端部の水平変位量とが同一であったとしても、この制震装置１０の回転ヒンジ４１の回転変位量が特許文献１の制震構造物の回転ヒンジの回転変位量よりも大きくなり、振動発生時にダンパー４０のロッド５３が特許文献１の制震構造物のダンパーのそれよりも大きく伸縮するから、特許文献１の制震構造物に比較して振動抑制機能を高くすることができる。
【００７７】
制震装置１０は、第１〜第３角部１１〜１３の角度や第１〜第３コーナー材２１〜２３の形状および大きさを統一（コーナー部材１９の形状および大きさを統一）することで、第１〜第３コーナー材２１〜２３（コーナー部材１９）を規格・標準化することができ、大きさや縦横のサイズが異なるフレーム１５に対応させてそれらコーナー材２１〜２３の形状や大きさを変える必要はなく、大きさや縦横のサイズが異なるすべてのフレーム１５に規格・標準化した第１〜第３コーナー材２１〜２３を使用してコーナー部材１９を作ることができ、制震装置１０の作製にかかるコストを低減することができる。また、制震装置１０が既設建物の柱６５と梁６６とから形成された架構６７に設置され、制震装置１０を設置した架構６７が既設建物の全ての架構６７に対して左右対称に配置されているから、振動発生時における制震装置１０の正負力の増幅倍率を既設建物において均等にすることができ、制震装置１０による制震機能が建物全体に均等に作用し、建物に発生した振動を制震装置１０によって確実に抑制することができる。
【００７８】
図１１は、他の一例として示すコーナー部材１９の斜視図であり、図１２は、図１１のコーナー部材１９の分解斜視図である。図１３は、図１２のコーナー部材１９の切断面６２から図心６３を求める場合の説明図である。図１１〜図１３では、スタッドボルト２０やアーム３８（図１２，１３のみ）の図示を省略している。図１１〜図１３では、縦方向を矢印Ａ（図１３を除く）、横方向を矢印Ｂで示し、前後方向を矢印Ｃで示す。
【００７９】
図１１に示すコーナー部材１９が図３のそれと異なるところは、図１１のコーナー部材１９の第２コーナー材２２の厚み寸法が図３のコーナー部材１９の第２コーナー材２２のそれよりも大きい点にあり、その他の構成は図３のコーナー部材１９と同一であるから、図３のコーナー部材１９と同一の符号を付すことで、このコーナー部材１９のその他の構成の説明は省略する。このコーナー部材１９が設置されたフレーム１５やフレーム１５の内側に設置された振動減衰機構１６は、図１，２のそれらと同一であるから、図１，２のフレーム１５や振動減衰機構１６の説明を援用することで、それらの説明は省略する。なお、第１〜第３角部１１〜１３を形成するコーナー部材１９は、それらの形状と大きさとが同一である。
【００８０】
第１および第２コーナー材２１，２２は、縦方向へ延びる所定面積の第１側面部２４と、第１側面部２４に直交して横方向へ延びる所定面積の第２側面部２５と、縦方向へ延びる第１外側部２６および第１外側部２６に直交して横方向へ延びる第２外側部２７と、縦方向へ延びる第１内側部２８および第１内側部２８に直交して横方向へ延びる第２内側部２９とを有する。第１外側部２５と第２外側部２６とは、その長さ寸法が同一であり、それら外側部２５，２６の交差角度α１が９０度である。第１内側部２８と第２内側部２９とは、その長さ寸法が同一であり、それら内側部２８，２９の交差角度α２が９０度である。第２コーナー材２２は、その厚み寸法が第１コーナー材２１のそれよりも大きい。第１〜第３角部１１〜１３では、それら角部１１〜１３を形成する第１および第２コーナー材２１，２２の形状と大きさとが同一、第１側面部２４の厚み寸法が同一であり、第２側面部２５の厚み寸法が同一である。
【００８１】
第３コーナー材２３は、縦方向へ延びる所定面積の第１側面部３０と、第１側面部３０に直交して横方向へ延びる所定面積の第２側面部３１と、縦方向へ延びる第１外側部３２および第１外側部３２に直交して横方向へ延びる第２外側部３３と、縦方向へ延びる第３外側部３４および第３外側部３４に直交して横方向へ延びる第４外側部３５とを有する。第１〜第４外側部３２〜３５は、その長さ寸法が同一である。第１外側部３２と第２外側部３３との交差角度α１は、９０度であり、第３外側部３４と第４外側部３５との交差角度α１は、９０度である。第１〜第３角部１１〜１３では、それら角部１１〜１３を形成する第３コーナー材２３の形状と大きさとが同一であり、第１および第２側面部３０，３１の厚み寸法が同一である。第３コーナー材２３の第１側面部および第２側面部３０，３１には、そこから外側に突出する複数本のスタッドボルト２０が取り付けられている（図１参照）。
【００８２】
コーナー部材１９や縦枠材１７、横枠材１８には、図１のそれと同様に、鋳造品または鍛造品あるいは溶接品を使用することができる。第１〜第３角部１１〜１３における第１コーナー材２１と第２コーナー材２２との間には、第３コーナー材２３と平行して前後方向へ延びる第１ピン５９（ピン）が配置されている。第１ピン５９は、第１および第２アーム３８，３９やダンパー４０の軸方向中心線Ｌ２に対して直角方向へ延びている。第１ピン５９は、第１および第２アーム３８，３９やダンパー４０の外端部４２，４７，５４の第１ピン孔４５，５０，５６に回転可能に挿通され、第１および第２コーナー材２１，２２に固定されている。なお、第１ピン５９は、第１および第２アーム３８，３９やダンパー４０の外端部４２，４７，５４の第１ピン孔４５，５０，５６に挿入された状態で外端部４２，４７，５４に固定されるとともに、第１および第２コーナー材２１，２２に形成されたピン孔に回転可能に挿通されていてもよい。
【００８３】
第１および第２アーム３８，３９は、その外端部４２，４７がピン５９を介して第１および第３角部１１，１３に回転可能に支持され、ピン５９（第１ピン孔４５，５０）を旋回軸として縦枠材１７と横枠材１８との間を旋回可能である。ダンパー４０は、その外端部５４がピン５９を介して第２角部１２に回転可能に支持され、ピン５９（第１ピン孔５６）を旋回軸として縦枠材１７と横枠材１８との間を旋回可能である。
【００８４】
ピン５９（第１ピン）の一点鎖線で示す軸方向中心線Ｌ１と第１および第２アーム３８，３９やダンパー４０の一点鎖線で示す軸方向中心線Ｌ２との交点６０は、角部１１の角度α１（９０度）を二分する（第１外側部２６と第２外側部２７との交差角度α１（９０度）を二分する）切断線６１（第１外側部２６と切断線６１との交差角度４５度、第２外側部２７と切断線６１との交差角度４５度）で第１〜第３コーナー材２１〜２３を切断した場合のコーナー部材１９の切断面６２の図心６３の位置にある。ピン５９の軸方向中心線Ｌ１は、図心６３を通ってピン５９の軸方向中心線Ｌ１と同一方向（第３コーナー材２３の第１および第２側面部３０，３１と平行する前後方向）へ延びる第１線分Ｌ３（図心を通る主軸となる一方の中立軸）に一致している。第２アーム３８，３９やダンパー４０の軸方向中心線Ｌ２は、図心６３を通って第２アーム３８，３９やダンパー４０の軸方向中心線Ｌ２と同一方向へ延びる第２線分Ｌ４（図心を通る主軸となる他方の中立軸）に一致している（図１３参照）。
【００８５】
図１３に基づいてコーナー部材１９の図心６３を求める手順を説明すると、以下のとおりである。第３コーナー材２３の切断面６２の反対側であってコーナー部材１９の切断面６２から所定寸法離間した位置にＹ軸を仮想し、第１および第２コーナー材２１，２２の切断面６２の反対側であってコーナー部材１９の切断面６２から所定寸法離間した位置にＸ軸を仮想する。Ｙ軸からコーナー部材１９に向かって離間したＹ軸上の距離ＹｏをＹｏ＝（Ｙａ×ａ＋Ｙｂ×ｂ＋Ｙｃ×ｃ）÷（ａ＋ｂ＋ｃ）によって求め、距離Ｙｏにおいて第３コーナー材２３の第１および第２側面部３０，３１と平行する前後方向へ第１線分Ｌ３（中立軸）を仮想する。Ｘ軸からコーナー部材１９に向かって離間したＸ軸上の距離ＸｏをＸｏ＝（Ｘａ×ａ＋Ｘｂ×ｂ＋Ｘｃ×ｃ）÷（ａ＋ｂ＋ｃ）によって求め、距離Ｘｏにおいて第１および第２コーナー材２１，２２の第１および第２側面部２４，２５と平行する方向へ第２線分Ｌ４（中立軸）を仮想する。第１および第２線分Ｌ３，Ｌ４を仮想した場合のそれら線分Ｌ３，Ｌ４の交点６０がコーナー部材１９の図心６３となる。なお、ＹａやＹｂ、Ｙｃ、Ｘａ、Ｘｂ、Ｘｃ、ａ、ｂ、ｃは、図５のそれらと同一である。
【００８６】
制震装置１０では、そのフレーム１５が既設建物の架構６７の内側に設置される。架構６７全体では、それを横方向へ二分する中心線Ｌ１３に対して制震装置１０を設置した架構６７が左右対称に配置される（図７，８参照）。なお、図１１，１２のコーナー部材１９を使用した制震装置１０による振動減衰の原理は図３，４のコーナー部材１９を使用した制震装置１０のそれと同一であるから、図９，１０とそれら図に基づく説明とを援用することで、その説明は省略する。
【００８７】
制震装置１０では、その設置条件や設置箇所によってコーナー部材１９を形成する第１〜第３コーナー材２１〜２３の強度を異なるように設定する場合やそれらの大きさを異なるように成形する場合がある。図１１，１２のコーナー材１９を使用した制震装置１０は、そのような要求に対応することができることのみならず、第１および第２アーム３８，３９やダンパー４０の軸方向中心線Ｌ２とそれらアーム３８，３９やダンパー４０の外端部４２，４７，５４を回転可能に支持するピン５９の軸方向中心線Ｌ１との交点６０が第１〜第３角部の角度１１〜１３を二分する切断線６１によって第１〜第３コーナー材２１〜２３を切断した場合のコーナー部材１９の切断面６２から求めた図心６３の位置にあり、図心６３を通ってピン５９の軸方向中心線Ｌ１と同一方向へ延びる第１線分Ｌ３にピン５９の軸方向中心線Ｌ１が一致しているから、ピン５９の軸方向中心線Ｌ１を基準としてコーナー部材１９を軸方向中心線Ｌ１から外側の外側部位７０と軸方向中心線Ｌ１から内側の内側部位７１とに区分したときに、外側部位７０の耐力と内側部位７１の耐力とが同一となり、フレーム１５の振動によって第１および第２アーム３８，３９やダンパー４０の外端部４２，４７，５４やコーナー部材１９に荷重が作用したとしても、その荷重をコーナー部材１９の外側部位７０と内側部位７１とで均等に分担することができる。
【００８８】
制震装置１０は、図心６３を通って第１および第２アーム３８，３９やダンパー４０の軸方向中心線Ｌ２と同一方向へ延びる第２線分Ｌ４に第１および第２アーム３８，３９やダンパー４０の軸方向中心線Ｌ２が一致するから、第１および第２アーム３８，３９やダンパー４０の軸方向中心線Ｌ２を基準としてコーナー部材１９をその軸方向中心線Ｌ２から一方の側の一方部位７２と軸方向中心線Ｌ２から他方の側の他方部位７３とに区分したときに、コーナー部材１９の一方部位７２の耐力と他方部位７３の耐力とが同一となり、振動によって第１および第２アーム３８，３９やダンパー４０の外端部４２，４７，５４、コーナー部材１９に荷重が作用したとしても、その荷重を一方部位７２と他方部位７３とで均等に分担することができる。
【００８９】
制震装置１０は、コーナー部材１９に作用する荷重をその外側部位７０と内側部位７１とで均等に分担することができるとともに、コーナー部材１９に作用する荷重を一方部位７２と他方部位７３とで均等に分担することができるから、コーナー部材１９に不要な曲げモーメントが発生せず、コーナー部材１９の振動発生時における変形や破損を防ぐことができ、コーナー部材１９に不要な曲げモーメントが発生することによる振動抑制機能の低下やコーナー部材１９の変形や破損による振動抑制機能の低下を防ぐことができる。制震装置１０は、第１ピン５９を中心としたそれらアーム３８，３９の小さな水平変位量が回転ヒンジ４１の大きな回転変位量に変換され、大きな変位量を油圧ダンパー４０（振動エネルギー吸収ダンパー）に作用させることができ、ダンパー４０のロッド５３の伸縮によってフレーム１５の振動を熱に変換することで、既設建物の振動を確実に抑制することができる。図１１，１２のコーナー部材１９を使用した制震装置１０のその他の効果は、図３，４のコーナー部材１９を使用した制震装置１０のその他の効果と同一である。
【００９０】
図１１，１２のコーナー部材１９では、第２コーナー材２２の厚み寸法が第１コーナー材２１のそれよりも大きい例を示したが、第１コーナー材２１の厚み寸法が第２コーナー材２２のそれより大きくてもよく、第１コーナー材２１の大きさと第２コーナー材２２の大きさとが異なっていてもよい。ただし、これらの場合でも、ピン５９の一点鎖線で示す軸方向中心線Ｌ１と第１および第２アーム３８，３９やダンパー４０の一点鎖線で示す軸方向中心線Ｌ２との交点６０は、角部１１の角度α１を二分する切断線６１で第１〜第３コーナー材２１〜２３を切断した場合のコーナー部材１９の切断面６２の図心６３の位置にある。さらに、ピン５９の軸方向中心線Ｌ１は、図心６３を通ってピン５９の軸方向中心線Ｌ１と同一方向へ延びる第１線分Ｌ３に一致し、第２アーム３８，３９やダンパー４０の軸方向中心線Ｌ２は、図心６３を通って第２アーム３８，３９やダンパー４０の軸方向中心線Ｌ２と同一方向へ延びる第２線分Ｌ４に一致する。
【００９１】
図１４は、他の一例として示すコーナー部材１９の正面図であり、図１５は、アーム３８の図示を省略した図１４のコーナー部材１９の斜視図である。図１６は、図１５のコーナー部材１９の切断面６２から図心６３を求める場合の説明図である。図１４〜図１６では、縦方向を矢印Ａ（図１６を除く）、横方向を矢印Ｂで示し、前後方向を矢印Ｃ（図１４を除く）で示す。
【００９２】
このコーナー部材１９が設置されたフレーム１５やフレーム１５の内側に設置された振動減衰機構１６は、図１，２のそれらと同一であるから、図１，２のフレーム１５や振動減衰機構１６の説明を援用することで、それらの説明は省略する。ただし、第１および第２アーム３８，３９の外端部４２，４７およびダンパー４０の外端部５４の形状が図１，２のそれらと異なっている。コーナー部材１９は、断面形状が略Ｔ字形に成形された鋼材であり、防錆処理（塗装処理）が施されている。コーナー部材１９は、Ｌ形の外側コーナー材７４と、外側コーナー材７４の内面中央につながってフレーム１５の内側に向かって延びるＬ形の内側コーナー材７５とから形成されている。なお、第１〜第３角部１１〜１３を形成するコーナー部材１９は、それらの形状と大きさとが同一である。
【００９３】
外側コーナー材７４は、縦方向へ延びる所定面積の第１外側部分７６と、第１外側部分７６に直交して横方向へ延びる所定面積の第２外側部分７７とを有する。第１外側部分７６と第２外側部分７７とは、その長さ寸法が同一である。第１外側部分７６と第２外側部分７７との交差角度α１は、９０度である。第１〜第３角部１１〜１３では、それら角部１１〜１３を形成する外側コーナー材７４の形状と大きさとが同一であり、外側コーナー材７４の厚み寸法が同一である。第１および第２外側部分７６，７７には、図示はしていないが、そこから外側に突出する複数本のスタッドボルト２０が取り付けられている（図１参照）。
【００９４】
内側コーナー材７５は、縦方向へ延びる所定面積の第１内側部分７８と、第１内側部分７８に直交して横方向へ延びる所定面積の第２内側部分７９とを有する。内側コーナー材７５にはピン孔８０が形成され、そのピン孔８０に第１ピン５９が挿通されている。第１内側部分７８と第２内側部分７９とは、その長さ寸法が同一である。第１内側部分７８と第２内側部分７９との交差角度α２は、９０度である。第１〜第３角部１１〜１３では、それら角部１１〜１３を形成する内側コーナー材７５の形状と大きさとが同一であり、内側コーナー材７５の厚み寸法が同一である。
【００９５】
図１４のコーナー部材１９には、鋳造品または鍛造品あるいは溶接品を使用することができる。コーナー部材１９が鋳造品である場合は、金属材料を加熱して液体にした後、それを鋳型（鋳造金型）に流し込み、冷却して外側コーナー材７４と内側コーナー材７５とが一体になった断面Ｔ字状のコーナー部材１９が作られる。コーナー部材１９が鍛造品（型鍛造）である場合は、鍛造機械に上下一対の金型を取り付け、加熱された金属材料を金型上に載置して打撃または加圧によって外側コーナー材７４と内側コーナー材７５とが一体になった断面Ｔ字状のコーナー部材１９が作られる。
【００９６】
コーナー部材１９が溶接品である場合は、第１内側部分７８が第１外側部分７６の内面中央に溶接によって接合され、第２内側部分７９が第２外側部分７７の内面中央に溶接によって接合され、断面Ｔ字状のコーナー部材１９が作られる。縦枠材１７や横枠材１８には、図１と同様に、鋳造品または鍛造品あるいは溶接品を使用することができる。
【００９７】
フレーム１５では、縦枠材１７の縦方向両端部とコーナー部材１９の一方の端部８１とが溶接によって接合され、横枠材１８の横方向両端部とコーナー部材１９の他方の端部８２とが溶接によって接合されている。第４角部１４では、縦枠材１７の端部と横枠材１８の端部とが溶接によって接合されている。フレーム１５では、第１〜第４角部１１〜１４の角度α１が９０度である。
【００９８】
第１アーム３８の外端部４２は、アーム３８の径方向へ離間対向する第１部分８３と第２部分８４とから形成されている。第１および第２部分８３，８４は、互いに並行してアーム３８の中間部４４から第１角部１１に向かって延びている。第１および第２部分８３，８４には、第１ピン５９を挿入するピン孔が形成されている。コーナー部材１９の内側コーナー材７５は、第１部分８３と第２部分８４とに挟まれている。第１ピン５９は、第１アーム３８の軸方向中心線Ｌ２に対して直角方向へ延びている。第１ピン５９は、コーナー部材１９の内側コーナー材７５に形成されたピン孔８０に回転可能に挿通され、第１アーム３８の第１および第２部分８３，８４に形成されたピン孔に挿入された状態でそれら部分８３，８４に固定されている。
【００９９】
なお、第１ピン５９は、コーナー部材１９の内側コーナー材７５のピン孔８０に挿入された状態で内側コーナー材７５に固定され、第１アーム３８の第１および第２部分８３，８４のピン孔に回転可能に挿通されていてもよい。コーナー部材１９の内側コーナー材７５に開口するピン孔８０は、第１アーム３８の第１および第２部分８３，８４に開口するピン孔に一致している。第１アーム３８は、その外端部４２が第１ピン５９を介して第１角部１１に回転可能に支持され、ピン５９を旋回軸として縦枠材１７と横枠材１８との間を旋回可能である。
【０１００】
第１ピン５９の一点鎖線で示す軸方向中心線Ｌ１と第１アーム３８の軸方向中心線Ｌ２との交点６０は、第１角部１１の角度α１（９０度）または角度α２（９０度）を二分する切断線６１（外側コーナー材７４と切断線６１との交差角度４５度、内側コーナー材７５と切断線６１との交差角度４５度）で外側コーナー材７４と内側コーナー材７５とを切断した場合のコーナー部材１９の切断面８５の図心６３の位置にある。第１ピン５９の軸方向中心線Ｌ１は、図心６３を通ってピン５９の軸方向中心線Ｌ１と同一方向（外側コーナー材７４と平行する前後方向）へ延びる第１線分Ｌ３（図心を通る主軸となる一方の中立軸）に一致している。第１アーム３８の軸方向中心線Ｌ２は、図心６３を通ってアーム３８の軸方向中心線Ｌ２と同一方向へ延びる第２線分Ｌ４（図心を通る主軸となる他方の中立軸）に一致している（図１６参照）。
【０１０１】
第２アーム３９の外端部４７は、アーム３９の径方向へ離間対向する第１部分８３と第２部分８４とから形成されている（図１４，１５援用）。第１および第２部分８３，８４は、互いに並行してアーム３９の中間部４９から第３角部１３に向かって延びている。第１および第２部分８３，８４には、第１ピン５９を挿入するピン孔が形成されている。コーナー部材１９の内側コーナー材７５は、第１部分８３と第２部分８４とに挟まれている。第１ピン５９は、第２アーム３９の軸方向中心線Ｌ２に対して直角方向へ延びている。第１ピン５９は、コーナー部材１９の内側コーナー材７５に形成されたピン孔８０に回転可能に挿通され、第２アーム３９の第１および第２部分８３，８４に形成されたピン孔に挿入された状態でそれら部分８３，８４に固定されている。
【０１０２】
なお、第１ピン５９は、コーナー部材１９の内側コーナー材７５のピン孔８０に挿入された状態で内側コーナー材７５に固定され、第２アーム３９の第１および第２部分８３，８４のピン孔に回転可能に挿通されていてもよい。コーナー部材１９の内側コーナー材７５に開口するピン孔８０は、第２アーム３９の第１および第２部分８３，８４に開口するピン孔に一致している。第２アーム３９は、その外端部４７が第１ピン５９を介して第３角部１３に回転可能に支持され、ピン５９を旋回軸として縦枠材１７と横枠材１８との間を旋回可能である。
【０１０３】
第１ピン５９の一点鎖線で示す軸方向中心線Ｌ１と第２アーム３９の軸方向中心線Ｌ２との交点６０は、第３角部１３の角度α１（９０度）または角度α２（９０度）を二分する切断線６１（外側コーナー材７４と切断線６１との交差角度４５度、内側コーナー材７５と切断線６１との交差角度４５度）で外側コーナー材７４と内側コーナー材７５とを切断した場合のコーナー部材１９の切断面８５の図心６３の位置にある。第１ピン５９の軸方向中心線Ｌ１は、図心６３を通ってピン５９の軸方向中心線Ｌ１と同一方向（外側コーナー材７４と平行する前後方向）へ延びる第１線分Ｌ３（図心を通る主軸となる一方の中立軸）に一致している。第２アーム３９の軸方向中心線Ｌ２は、図心６３を通ってアーム３９の軸方向中心線Ｌ２と同一方向へ延びる第２線分Ｌ４（図心を通る主軸となる他方の中立軸）に一致している（図１６援用）。
【０１０４】
油圧ダンパー４０の外端部５４は、ダンパー４０の径方向へ離間対向する第１部分８３と第２部分８４とから形成されている（図１４，１５援用）。第１および第２部分８３，８４は、互いに並行して第２角部１２に向かって延びている。第１および第２部分８３，８４には、第１ピン５９を挿入するピン孔が形成されている。コーナー部材１９の内側コーナー材７５は、第１部分８３と第２部分８４とに挟まれている。第１ピン５９は、ダンパー４０の軸方向中心線Ｌ２に対して直角方向へ延びている。第１ピン５９は、コーナー部材１９の内側コーナー材７５に形成されたピン孔８０に回転可能に挿通され、ダンパー４０の第１および第２部分８３，８４に形成されたピン孔に挿入された状態でそれら部分８３，８４に固定されている。
【０１０５】
なお、第１ピン５９は、コーナー部材１９の内側コーナー材７５のピン孔８０に挿入された状態で内側コーナー材７５に固定され、ダンパー４０の第１および第２部分８３，８４のピン孔に回転可能に挿通されていてもよい。コーナー部材１９の内側コーナー材７５に開口するピン孔８０は、ダンパー４０の第１および第２部分８３，８４に開口するピン孔に一致している。ダンパー４０は、その外端部５４が第１ピン５９を介して第２角部１２に回転可能に支持され、ピン５９を旋回軸として縦枠材１７と横枠材１８との間を旋回可能である。
【０１０６】
第１ピン５９の一点鎖線で示す軸方向中心線Ｌ１とダンパー４０の軸方向中心線Ｌ２との交点は、第２角部１２の角度α１（９０度）または角度α２（９０度）を二分する切断線６１（外側コーナー材７４と切断線６１との交差角度４５度、内側コーナー材７５と切断線６１との交差角度４５度）で外側コーナー材７４と内側コーナー材７５とを切断した場合のコーナー部材１９の切断面８５の図心６３の位置にある。第１ピン５９の軸方向中心線Ｌ１は、図心６３を通ってピン５９の軸方向中心線Ｌ１と同一方向（外側コーナー材７４と平行する前後方向）へ延びる第１線分Ｌ３（図心を通る主軸となる一方の中立軸）に一致している。ダンパー４０の軸方向中心線Ｌ２は、図心６３を通ってダンパー４０の軸方向中心線Ｌ２と同一方向へ延びる第２線分Ｌ４（図心を通る主軸となる他方の中立軸）に一致している（図１６援用）。
【０１０７】
図１６に基づいてコーナー部材１９の図心６３を求める手順を説明すると、以下のとおりである。コーナー部材１９の外側コーナー材７４の切断面８６の反対側であってコーナー部材１９の切断面８５から所定寸法離間した位置にＸ軸を仮想し、内側コーナー材７５の切断面８７の反対側であってコーナー部材１９の切断面８５から所定寸法離間した位置にＹ軸を仮想する。次に、Ｘ軸からコーナー部材１９に向かって離間したＹ軸上の距離ＹｏをＹｏ＝（Ｙａ×ａ＋Ｙｂ×ｂ）÷（ａ＋ｂ）によって求め、その距離Ｙｏにおいて外側コーナー材７４と平行する前後方向へ第１線分Ｌ３（中立軸）を仮想する。さらに、Ｙ軸からコーナー部材１９に向かって離間したＸ軸上の距離ＸｏをＸｏ＝（Ｘａ×ａ＋Ｘｂ×ｂ）÷（ａ＋ｂ）によって求め、その距離Ｘｏにおいて内側コーナー材７５と平行する方向へ第２線分Ｌ４（中立軸）を仮想する。第１および第２線分Ｌ３，Ｌ４を仮想した場合のそれら線分Ｌ３，Ｌ４の交点がコーナー部材１９の図心６３となる。
【０１０８】
ここで、Ｙａは、Ｘ軸から外側コーナー材７４の切断面８６の短手方向の寸法を二分する第１中心線Ｌ１４までの距離、Ｙｂは、Ｘ軸から内側コーナー材７５の切断面８７の長手方向の寸法を二分する第２中心線Ｌ１５までの距離である。Ｘａは、Ｙ軸から外側コーナー材７４の切断面８６の長手方向の寸法を二分する第３中心線Ｌ１６までの距離、Ｘｂは、Ｙ軸から内側コーナー材７４の切断面８７の短手方向の寸法を二分する第４中心線Ｌ１７までの距離である。ａは、外側コーナー材７４の切断面８６の面積であり、ｂは、内側コーナー材７５の切断面８７の面積である。前記式を利用することで、外側コーナー材７４と内側コーナー材７５とから形成されたコーナー部材１９の図心６３を正確に求めることができる。
【０１０９】
制震装置１０では、そのフレーム１５が既設建物の架構６７の内側に設置される。架構６７全体では、それを横方向へ二分する中心線Ｌ１３に対して制震装置１０を設置した架構６７が左右対称に配置される（図７，８援用）。なお、図１４，１５のコーナー部材１９を使用した制震装置１０による振動減衰の原理は図３，４のコーナー部材１９を使用した制震装置１０のそれと同一であるから、図９，１０とそれら図に基づく説明とを援用することで、その説明は省略する。
【０１１０】
制震装置１０は、コーナー部材１９がＬ形の外側コーナー材７４とＬ形の内側コーナー材７５とから形成され、それらアーム３８，３９およびダンパー４０を回転可能に支持するピン５９がそれらアーム３８，３９およびダンパー４０の軸方向中心線Ｌ２と直交して延びるとともに、内側コーナー材７５に開口するピン孔に挿通されて第１および第２部分８３，８４につながる連結構造を採用しているから、その連結構造が必要以上に高い制作制度を要しない単純な構造であり、コーナー部材１９の製作工数を最小限にすることができ、制振装置１０の生産効率や現地組立の効率が向上し、制振装置１０の製作費の低減による採算性を改善することができる。
【０１１１】
制振装置１０は、鋳造または鍛造によってＬ形の外側コーナー材７４とＬ形の内側コーナー材７５とが一体となったコーナー部材１９を簡単に作ることができるから、コーナー部材１９の生産性が向上し、コーナー部材１９を廉価に製作することができ、その結果、制振装置１０の製作費を低減することができる。また、Ｌ形の外側コーナー材７４とＬ形の内側コーナー材７５とを溶接によって一体化することでコーナー部材１９を作る場合は、コーナー部材１９の製作工数を最小限にすることができ、コーナー部材１９を廉価に製作することができる結果、制振装置１０の製作費を低減することができる。
【０１１２】
制震装置１０は、第１および第２アーム３８，３９の軸方向中心線Ｌ２とそれらアーム３８，３９の外端部４２，４７を回転可能に支持するピン５９の軸方向中心線Ｌ１との交点６０が第１および第３角部１１，１３の角度を二分する切断線６１によって外側コーナー材７４と内側コーナー材７５とを切断した場合のコーナー部材１９の切断面８５から求めた図心６３の位置にあり、図心６３を通ってピン５９の軸方向中心線Ｌ１と同一方向へ延びる第１線分Ｌ３にピン５９の軸方向中心線Ｌ１が一致しているから、ピン５９の軸方向中心線Ｌ１を基準としてコーナー部材１９をその軸方向中心線Ｌ１から外側の外側部位７０と軸方向中心線Ｌ１から内側の内側部位７１とに区分したときに、コーナー部材１９の外側部位７０の耐力と内側部位７１の耐力とが同一となり、フレーム１５の振動によって第１および第２アーム３８，３９の外端部４２，４７やコーナー部材１９に荷重が作用したとしても、その荷重をコーナー部材１９の外側部位７０と内側部位７１とで均等に分担することができる。
【０１１３】
制震装置１０は、第１および第２アーム３８，３９の外端部４２，４７を支持するコーナー部材１９に作用する荷重をその外側部位７０と内側部位７１とで均等に分担することができるから、コーナー部材１９に不要な曲げモーメントが発生せず、コーナー部材１９の振動発生時における変形や破損を防ぐことができ、コーナー部材１９に不要な曲げモーメントが発生することによる振動抑制機能の低下やコーナー部材１９の変形や破損による振動抑制機能の低下を防ぐことができる。
【０１１４】
制震装置１０は、ダンパー４０の軸方向中心線Ｌ２とダンパー４０の外端部５４を回転可能に支持するピン５９の軸方向中心線Ｌ１との交点６０が第２角部１２の角度を二分する切断線６１で外側コーナー材７４と内側コーナー材７５とを切断した場合のコーナー部材１９の切断面８５から求めた図心６３の位置にあり、図心６３を通ってピン５９の軸方向中心線Ｌ１と同一方向へ延びる第１線分Ｌ３にピン５９の軸方向中心線Ｌ１が一致しているから、ピン５９の軸方向中心線Ｌ１を基準としてコーナー部材１９をその軸方向中心線Ｌ１から外側の外側部位７０と軸方向中心線Ｌ１から内側の内側部位７１とに区分したときに、コーナー部材１９の外側部位７０の耐力と内側部位７１の耐力とが同一となり、振動によってダンパー４０の外端部５４やコーナー部材１９に荷重が作用したとしても、その荷重を外側部位７０と内側部位７１とで均等に分担することができる。
【０１１５】
制震装置１０は、ダンパー４０の外端部５４を支持するコーナー部材１９に作用する荷重をその外側部位７０と内側部位７１とで均等に分担することができるから、コーナー部材１９に不要な曲げモーメントが発生せず、コーナー部材１９の振動発生時における変形や破損を防ぐことができ、コーナー部材１９に不要な曲げモーメントが発生することによる振動抑制機能の低下やコーナー部材１９の変形や破損による振動抑制機能の低下を防ぐことができる。
【０１１６】
制震装置１０は、図心６３を通って第１および第２アーム３８，３９の軸方向中心線Ｌ２と同一方向へ延びる第２線分Ｌ４に第１および第２アーム３８，３９の軸方向中心線Ｌ２が一致するから、第１および第２アーム３８，３９の軸方向中心線Ｌ２を基準としてコーナー部材１９をその軸方向中心線Ｌ２から一方の側の一方部位７２と軸方向中心線Ｌ２から他方の側の他方部位７３とに区分したときに、コーナー部材１９の一方部位７２の耐力と他方部位７３の耐力とが同一となり、振動によって第１および第２アーム３８，３９の外端部４２，４７やコーナー部材１９に荷重が作用したとしても、その荷重を一方部位７２と他方部位７３とで均等に分担することができる。
【０１１７】
制震装置１０は、第１および第２アーム３８，３９の外端部４２，４７を支持するコーナー部材１９に作用する荷重を一方部位７２と他方部位７３とで均等に分担することができるから、コーナー部材１９に不要な曲げモーメントが発生せず、コーナー部材１９の振動発生時における変形や破損を防ぐことができ、コーナー部材１９に不要な曲げモーメントが発生することによる振動抑制機能の低下やコーナー部材１９の変形や破損による振動抑制機能の低下を防ぐことができる。
【０１１８】
制震装置１０は、図心６３を通ってダンパー４０の軸方向中心線Ｌ２と同一方向へ延びる第２線分Ｌ４にダンパー４０の軸方向中心線Ｌ２が一致するから、ダンパー４０の軸方向中心線Ｌ２を基準としてコーナー部材１９をその軸方向中心線Ｌ２から一方の側の一方部位７２と軸方向中心線Ｌ２から他方の側の他方部位７３とに区分したときに、コーナー部材１９の一方部位７２の耐力と他方部位７３の耐力とが同一となり、振動によってダンパー４０の外端部５４やコーナー部材１９に荷重が作用したとしても、その荷重を一方部位７２と他方部位７３とで均等に分担することができる。
【０１１９】
制震装置１０は、ダンパー４０の外端部５４を支持するコーナー部材１９に作用する荷重を一方部位７２と他方部位７３とで均等に分担することができるから、コーナー部材１９に不要な曲げモーメントが発生せず、コーナー部材１９の振動発生時における変形や破損を防ぐことができ、コーナー部材１９に不要な曲げモーメントが発生することによる振動抑制機能の低下やコーナー部材１９の変形や破損による振動抑制機能の低下を防ぐことができる。
【０１２０】
制震装置１０は、第１ピン５９を中心としたそれらアーム３８，３９の小さな水平変位量が回転ヒンジ４１の大きな回転変位量に変換され、大きな変位量を油圧ダンパー４０（振動エネルギー吸収ダンパー）に作用させることができ、ダンパー４０のロッド５３の伸縮によってフレーム１５の振動を熱に変換することで、既設建物の振動を確実に抑制することができる。
【０１２１】
なお、前記特許文献１に開示の制震構造物では第１および第２アームやダンパーの軸方向中心線と第１ピンの軸方向中心線との交点がＬ形第１コーナー材の第７中心線Ｌ１１と第８中心線Ｌ１２との交点６４の位置にあるのに対し（図６参照）、この制震装置１０では第１および第２アーム３８，３９やダンパー４０の軸方向中心線Ｌ２とピン５９の軸方向中心線Ｌ１との交点６０が図心６３の位置にあり、図心６３の位置が前記特許文献１の第７中心線Ｌ１１と第８中心線Ｌ１２との交点６４よりも外側となる。したがって、この制震装置１０の第１および第２アーム３８，３９やダンパー４０の軸方向の長さ寸法が特許文献１の制震構造物の第１および第２アームやダンパーのそれよりも長くなる。それによって、この制震装置１０の第１および第２アーム３８，３９の外端部４２，４７の水平変位量と特許文献１に開示の制震構造物の第１および第２アームの外端部の水平変位量とが同一であったとしても、この制震装置１０の回転ヒンジ４１の回転変位量が特許文献１の制震構造物の回転ヒンジの回転変位量よりも大きくなり、振動発生時にダンパー４０のロッド５３が特許文献１の制震構造物のダンパーのそれよりも大きく伸縮するから、特許文献１の制震構造物に比較して振動抑制機能を高くすることができる。
【０１２２】
制震装置１０は、外側コーナー材７４と内側コーナー材７５との形状および大きさを統一（コーナー部材１９の形状および大きさを統一）することで、外側コーナー材７４およびＬ形の内側コーナー材７５（コーナー部材１９）を規格・標準化することができ、大きさや縦横のサイズが異なるフレーム１５に対応させてそれらコーナー材７４，７５の形状や大きさを変える必要はなく、大きさや縦横のサイズが異なるすべてのフレーム１５に規格・標準化した外側コーナー材７４および内側コーナー材７５を使用してコーナー部材１９を作ることができ、制震装置１０の作製にかかるコストを低減することができる。また、制震装置１０が既設建物の柱６５と梁６６とから形成された架構６７に設置され、制震装置１０を設置した架構６７が既設建物の全ての架構６７に対して左右対称に配置されているから、振動発生時における制震装置１０の正負力の増幅倍率を既設建物において均等にすることができ、制震装置１０による制震機能が建物全体に均等に作用し、建物に発生した振動を制震装置１０によって確実に抑制することができる。
【符号の説明】
【０１２３】
１０    制震装置
１１    第１角部
１２    第２角部
１３    第３角部
１４    第４角部
１５    フレーム
１６    振動減衰機構
１７    縦枠材
１８    横枠材
１９    コーナー部材
２１    第１コーナー材
２２    第２コーナー材
２３    第３コーナー材
３８    第１アーム
３９    第２アーム
４０    油圧ダンパー（振動エネルギー吸収ダンパー）
４１    回転ヒンジ
４２    外端部
４３    内端部
４５    ピン孔
４７    外端部
４８    内端部
５０    ピン孔
５４    外端部
５５    内端部
５６    ピン孔
５９    第１ピン（ピン）
６０    交点
６１    切断線
６２    切断面
６３    図心
６５    柱
６６    梁
６７    架構
７４    外側コーナー材
７５    内側コーナー材
７６    第１外側部分
７７    第２外側部分
７８    第１内側部分
７９    第２内側部分
８０    ピン孔
８３    第１部分
８４    第２部分
８５    切断面
８６    切断面
８７    切断面
Ｌ１    軸方向中心線
Ｌ２    軸方向中心線
Ｌ３    第１線分
Ｌ４    第２線分
Ｌ５    第１中心線
Ｌ６    第２中心線
Ｌ７    第３中心線
Ｌ８    第４中心線
Ｌ９    第５中心線
Ｌ１０  第６中心線
Ｌ１１  第７中心線
Ｌ１２  第８中心線
Ｌ１３  中心線
Ｌ１４  第１中心線
Ｌ１５  第２中心線
Ｌ１６  第３中心線
Ｌ１７  第４中心線
【図１】
2011074615.tif 000003
【図２】
2011074615.tif 000004
【図３】
2011074615.tif 000005
【図４】
2011074615.tif 000006
【図５】
2011074615.tif 000007
【図６】
2011074615.tif 000008
【図７】
2011074615.tif 000009
【図８】
2011074615.tif 000010
【図９】
2011074615.tif 000011
【図１０】
2011074615.tif 000012
【図１１】
2011074615.tif 000013
【図１２】
2011074615.tif 000014
【図１３】
2011074615.tif 000015
【図１４】
2011074615.tif 000016
【図１５】
2011074615.tif 000017
【図１６】
2011074615.tif 000018